【手続補正書】
【提出日】平成24年12月13日(2012.12.13)
【手続補正１】
【補正対象書類名】特許請求の範囲
【補正対象項目名】全文
【補正方法】変更
【補正の内容】
【特許請求の範囲】
【請求項１】
ａ）５０〜１００質量％の１種以上のビニル芳香族モノマー及び０〜５０質量％の少なくとも１種の共重合可能なモノマーを含むベースを重合することによって調製されるポリマーマトリックス；
ｂ）ポリマー（ａ）に対して計算して１〜１０質量％の、前記ポリマーマトリックス中に組み込まれる発泡剤；並びに
以下を含む遮熱充填剤：
ｃ）ポリマー（ａ）に対して計算して０〜２５質量％の、０．５乃至１００μｍの範囲の平均粒子直径（ｄ50）（サイズ）及びＡＳＴＭ  Ｄ−３０３７−８９（ＢＥＴ）に従って測定して５乃至２００ｍ2／ｇの範囲の表面積を有する粒状カーボンコークス；及び
ｄ）ポリマー（ａ）に対して計算して０．０５〜１０質量％の、１乃至３０μｍの範囲の平均粒子直径（ｄ50）（サイズ）及びＡＳＴＭ  Ｄ−３０３７−８９（ＢＥＴ）に従って測定して５乃至５００ｍ2／ｇの範囲の表面積を有する粒状発泡グラファイト、
を含む発泡性ビニル芳香族ポリマー組成物であって、ただし、カーボンコークスが０％である場合、発泡グラファイトの平均粒子直径は１乃至１０μｍの範囲である、発泡性ビニル芳香族ポリマー組成物。
【請求項２】
前記遮熱充填剤が、ポリマー（ａ）に対して計算して最大５質量％のカーボンブラックを含む、請求項１に記載の組成物。
【請求項３】
前記カーボンブラックが、１０乃至５００ｎｍの範囲の平均粒子サイズ（ｄ50）及び５乃至４０ｍ2／ｇの範囲の表面積を有する、請求項２に記載の組成物。
【請求項４】
ポリマー（ａ）に対して０．１乃至８質量％の臭素化自己消火性添加剤、及びまたポリマー（ａ）に基づいて０．０５乃至２質量％の、少なくとも１つの不安定なＣ−Ｃ又はＯ−Ｏ結合を含有する相乗剤を含む、請求項１〜３のいずれか一項に記載の組成物。
【請求項５】
前記発泡グラファイトが、１．５乃至５ｇ／ｃｍ3の範囲の密度を有する、請求項１〜４のいずれか一項に記載の組成物。
【請求項６】
５乃至５０ｇ／ｌの範囲の密度及び２５乃至５０ｍＷ／ｍＫの範囲の熱伝導率を有する請求項１〜５のいずれか一項に記載の発泡性ビニル芳香族ポリマー組成物により得られる発泡品。
【請求項７】
１０乃至２００ｇ／ｌの範囲の密度、０．０１乃至１．００ｍｍの範囲の平均セルサイズを有するビニル芳香族ポリマーのセルマトリックスを含み、かつ０．５乃至１００μｍの範囲中の平均粒子直径（ｄ50）、及びＡＳＴＭ  Ｄ−３０３７−８９（ＢＥＴ）に従って測定して５乃至２００ｍ2／ｇの範囲の表面積を有する粒状コークスと、１乃至３０μｍの範囲の平均粒子直径（ｄ50）（サイズ）、及びＡＳＴＭ  Ｄ−３０３７−８９（ＢＥＴ）に従って測定して５乃至５００ｍ2／ｇの範囲の表面積を有する発泡粒状形態のグラファイトとを含む、０．１乃至３５質量％の遮熱充填剤を含有する、ビニル芳香族ポリマーの押出発泡シート。
【請求項８】
前記遮熱充填剤が、ポリマーに対して計算して最大５質量％のカーボンブラックを含む、請求項７に記載の押出シート。
【請求項９】
前記発泡グラファイトが、１．５乃至５ｇ／ｃｍ3の範囲の密度を有する、請求項７又は８に記載の押出シート。
【請求項１０】
請求項１〜５のいずれか一項に記載の発泡性ビニル芳香族ポリマー組成物をビーズ又は顆粒の形態で調製するプロセスであって、０．５乃至１００μｍの範囲の平均粒子直径（サイズ）、及びＡＳＴＭ  Ｄ−３０３７−８９（ＢＥＴ）に従って測定して５乃至２００ｍ2／ｇの範囲の表面積を有する前記粒状コークスと、１乃至３０μｍの範囲の平均粒子直径（ｄ50）（サイズ）、及びＡＳＴＭ  Ｄ−３０３７−８９（ＢＥＴ）に従って測定して５乃至５００ｍ2／ｇの範囲の表面積を有する前記発泡粒状形態のグラファイトとを含む前記遮熱充填剤の存在下において、並びに少なくとも、重合の前、重合の間、又は重合の終了時に加えられる過酸化物ラジカル開始剤及び発泡剤の存在下において、１種以上のビニル芳香族モノマーを水性懸濁液中で重合することを含むプロセス。
【請求項１１】
前記遮熱充填剤が、ポリマーに対して計算して最大５質量％のカーボンブラックをまた含む、請求項１０に記載のプロセス。
【請求項１２】
水中に懸濁されるビニル芳香族モノマーの反応溶液の粘度が、ビニル芳香族ポリマーを前記ビニル芳香族モノマーの質量に対して１乃至３０質量％の範囲の濃度にまで該溶液中に溶解することによって増加される、請求項１０又は１１に記載のプロセス。
【請求項１３】
水中に懸濁されるビニル芳香族モノマーの反応溶液の粘度が、１乃至３０質量％の範囲のポリマー濃度が得られるまでモノマー又はモノマー混合物を塊状予備重合することによって増加される、請求項１０又は１１に記載のプロセス。
【請求項１４】
前記発泡グラファイトが、１．５乃至５ｇ／ｃｍ3の範囲の密度を有する、請求項１０〜１３のいずれか一項に記載のプロセス。
【請求項１５】
重合の終了時に、０．２乃至３ｍｍの範囲の平均直径を有する実質的に球形の発泡性ポリマービーズ／顆粒が得られ、その中に前記遮熱充填剤が均質に分散される、請求項１０〜１４のいずれか一項に記載のプロセス。
【請求項１６】
連続的な塊状重合を通じて、請求項１〜５のいずれか一項に記載の発泡性ビニル芳香族ポリマー組成物をビーズ又は顆粒として調製するプロセスであって、以下の一連の工程を含むプロセス：
ｉ．５００００乃至２５００００の範囲の重量平均分子量Ｍｗを有する、顆粒形態若しくは粉末形態又は既に溶融状態のビニル芳香族ポリマーを、０．５乃至１００μｍの範囲の平均粒子直径（ｄ50）、及びＡＳＴＭ  Ｄ−３０３７−８９（ＢＥＴ）に従って測定して５乃至２００ｍ2／ｇの範囲の表面積を有する前記粒状コークスと、１乃至３０μｍの範囲の平均粒子直径（ｄ50）（サイズ）、及びＡＳＴＭ  Ｄ−３０３７−８９（ＢＥＴ）に従って測定して５乃至５００ｍ2／ｇの範囲の表面積を有する前記発泡粒状形態グラファイトとを含む前記遮熱充填剤と混合する工程；
ｉｉ．既に溶融状態でないならば、前記ビニル芳香族ポリマーの融点よりも高い温度に前記ポリマー混合物を至らせる工程；
ｉｉｉ．発泡剤を溶融ポリマー中に組み入れる工程；
ｉｖ．静的混合要素又は動的混合要素を用いて、このように得られたポリマー組成物を混合する工程；及び
ｖ．ダイ、切断チャンバー及び切断システムを含む装置中で、このように得られた組成物を顆粒状にする工程。
【請求項１７】
前記遮熱充填剤が、最終的なポリマーに対して計算して最大５質量％のカーボンブラックをまた含む、請求項１６に記載のプロセス。
【請求項１８】
前記発泡グラファイトが、１．５乃至５ｇ／ｃｍ3の範囲の密度を有する、請求項１６又は１７に記載のプロセス。
【請求項１９】
顆粒化の終了時に、０．２乃至３ｍｍの範囲の平均直径を有する実質的に球形の発泡性ポリマービーズ／顆粒が得られ、その中に前記遮熱充填剤が均質に分散される、請求項１６〜１８のいずれか一項に記載のプロセス。
【請求項２０】
５００００乃至２５００００の範囲の重量平均分子量のビニル芳香族ポリマーをベースにしたマスターバッチ中に少なくとも遮熱添加剤を組み入れることが可能である、請求項１０〜１９のいずれか一項に記載のプロセス。
【請求項２１】
前記コークス及び前記発泡グラファイトを含む遮熱充填剤の含有量が、マスターバッチ中、１５乃至６０質量％の範囲にある、請求項２０に記載のプロセス。
【請求項２２】
ペレットマスターバッチが、ビニル芳香族モノマーの中に溶解される、請求項１０〜１５のいずれか一項に記載のプロセス。
【請求項２３】
ペレットマスターバッチが、顆粒状材料と又は溶液重合に由来する溶融状態ポリマーと混合される、請求項１６〜１９のいずれか一項に記載のプロセス。
【請求項２４】
溶液重合反応器に供給される前に、ペレットマスターバッチがビニル芳香族モノマー／溶媒混合物中に溶解される、請求項１６〜１９のいずれか一項に記載のプロセス。
【請求項２５】
請求項７〜９のいずれか一項に記載の押出発泡ビニル芳香族ポリマーシートを製造するプロセスであって、
ａ１．ペレット形態のビニル芳香族ポリマー、並びに、ポリマーに対して計算して０乃至２５質量％の、０．５乃至１００μｍの範囲の平均粒子直径（ｄ50）（サイズ）、及びＡＳＴＭ  Ｄ−３０３７−８９（ＢＥＴ）に従って測定して５乃至２００ｍ2／ｇの範囲の表面積を有する前記粒状コークスと、ポリマーに対して計算して０．０５乃至１０質量％の、１乃至３０μｍの範囲の平均粒子直径（ｄ50）（サイズ）、及びＡＳＴＭ  Ｄ−３０３７−８９（ＢＥＴ）に従って測定して５乃至５００ｍ2／ｇの範囲の表面積を有する前記発泡粒状形態グラファイトとを含む少なくとも１種の遮熱充填剤を混合すること；
ｂ１．混合物（ａ１）を１８０乃至２５０℃の範囲の温度に加熱して、ポリマー溶融物を得、均質化すること；
ｃ１．前記ポリマー溶融物に、少なくとも発泡剤を添加すること；
ｄ１．発泡剤を組み入れている前記ポリマー溶融物を均質化すること；
ｅ１．２００℃を超えず、かつ結果として生じるポリマー組成物のＴｇを下回らない温度に、ポリマー溶融物（ｄ１）を均質に冷却すること；
ｆ１．ポリマー溶融物をダイを通して押出して、ポリマー発泡シートを得ること
を含むプロセス。
【請求項２６】
ビニル芳香族ポリマーに添加される前記遮熱充填剤が、ポリマーに対して計算して最大５質量％のカーボンブラックを含む、請求項２５に記載のプロセス。
【請求項２７】
前記発泡グラファイトが、１．５から５ｇ／ｃｍ3の範囲の密度を有する、請求項２５又は２６に記載のプロセス。
【請求項２８】
前記ペレットのビニル芳香族ポリマーが、請求項１０〜２４のいずれか一項に記載又は従って調製される、ビーズ／顆粒の形態のビニル芳香族ポリマー組成物によって、完全に又は部分的に置換される、請求項２５〜２７のいずれか一項に記載のプロセス。
【請求項２９】
前記ビニル芳香族ポリマーのペレットが、前記遮熱充填剤がマスターとして又は消費後製品からの派生物として分散されているビニル芳香族ポリマーによって、完全に又は部分的に置換される、請求項２５〜２７のいずれか一項に記載のプロセス。